【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
撮像手段から撮像画像を取得可能な情報処理装置のコンピュータを、
取得された撮像画像に対して、当該撮像画像に含まれる所定の対象を認識する認識処理を繰り返し実行する認識手段と、
前記認識処理の処理結果を用いて生成される仮想オブジェクトの画像と、当該認識処理の対象となった撮像画像とを合成した合成画像を繰り返し生成する合成手段と、
前記合成画像を表示手段に表示させる表示制御手段として機能させる画像表示プログラムであって、
前記合成手段は、認識処理が失敗した場合、以前に成功した認識処理の対象となった撮像画像と、当該認識処理の処理結果を用いて生成される仮想オブジェクトの画像とを合成し、
前記表示制御手段は、前記認識処理が連続して失敗した結果、所定の条件が満たされたことに応じて、現時点で取得された撮像画像を前記表示手段に表示させる、画像表示プログラム。
【請求項２】
前記合成手段は、認識処理の処理結果にかかわらず、前記仮想オブジェクトの画像を更新して合成画像を生成する、請求項１に記載の画像表示プログラム。
【請求項３】
前記認識処理が成功した場合、成功した認識処理の対象となった撮像画像と当該認識処理の処理結果とを、前記コンピュータがアクセス可能な記憶手段に記憶させる記憶制御手段として前記コンピュータをさらに機能させ、
前記合成手段は、前記記憶手段に記憶される撮像画像と、当該記憶手段に記憶される処理結果に基づいて生成される合成画像とを合成する、請求項１または請求項２に記載の画像表示プログラム。
【請求項４】
前記記憶制御手段は、前記認識処理が成功した場合、成功した認識処理の対象となった撮像画像と当該認識処理の処理結果とが記憶されるように、前記記憶手段の記憶内容を更新する、請求項３に記載の画像表示プログラム。
【請求項５】
前記認識手段は、前記認識処理が成功する場合、当該認識処理によって認識された前記所定の対象と前記撮像手段もしくは前記情報処理装置との位置関係を前記処理結果として算出し、
前記合成手段は、前記認識処理が成功した場合、成功した認識処理の対象となった撮像画像から算出される位置関係に基づいて前記仮想オブジェクトの画像を生成し、前記認識処理が失敗した場合、以前に成功した認識処理の対象となった撮像画像から算出される位置関係に基づいて前記仮想オブジェクトの画像を生成する、請求項１から請求項４のいずれか１項に記載の画像表示プログラム。
【請求項６】
前記認識処理の処理結果をゲーム入力として用いて、仮想空間に登場するオブジェクトの動作を制御する所定のゲーム制御処理を実行するゲーム制御処理手段として前記コンピュータをさらに機能させる、請求項１から請求項５のいずれか１項に記載の画像表示プログラム。
【請求項７】
前記ゲーム制御処理手段は、認識処理が失敗した場合、以前に成功した認識処理の処理結果を用いて前記ゲーム制御処理を実行する、請求項６に記載の画像表示プログラム。
【請求項８】
前記認識処理の処理結果にかかわらず所定のゲーム処理を実行するゲーム処理手段として前記コンピュータをさらに機能させる、請求項１から請求項７のいずれか１項に記載の画像表示プログラム。
【請求項９】
前記ゲーム処理手段は、前記仮想オブジェクトの動作を制御する処理を前記ゲーム処理として実行する、請求項８に記載の画像表示プログラム。
【請求項１０】
前記表示制御手段は、前記認識処理が連続して失敗した結果、所定の条件が満たされたことに応じて、前記撮像画像とは異なる警告画像を前記表示手段に表示させる、請求項１から請求項９のいずれか１項に記載の画像表示プログラム。
【請求項１１】
前記表示制御手段は、前記認識処理が所定時間の間連続して失敗したことを前記所定の条件として、前記警告画像を前記表示手段に表示させる、請求項１０に記載の画像表示プログラム。
【請求項１２】
前記撮像手段または前記情報処理装置の動きを検知する動き検知手段として前記コンピュータをさらに機能させ、
前記表示制御手段は、前記動き検知手段によって前記撮像手段が所定の基準以上動いていることが検知されたことを前記所定の条件として、前記警告画像を前記表示手段に表示させる、請求項１０に記載の画像表示プログラム。
【請求項１３】
前記認識処理の処理結果をゲーム入力として用いて、前記仮想オブジェクトの動作を制御する所定のゲーム制御処理を実行するゲーム制御処理手段として前記コンピュータをさらに機能させ、
前記ゲーム制御処理手段は、前記警告画像が表示されることに応じて、ゲームの進行を中断する、請求項１０に記載の画像表示プログラム。
【請求項１４】
前記表示制御手段は、前記警告画像が表示された後において前記認識処理が連続して失敗した結果、所定の条件が満たされたことに応じて、現時点で取得された撮像画像を前記表示手段に表示させる、請求項１０に記載の画像表示プログラム。
【請求項１５】
撮像手段から撮像画像を取得可能であり、表示手段に画像を表示させる画像表示装置であって、
取得された撮像画像に対して、当該撮像画像に含まれる所定の対象を認識する認識処理を繰り返し実行する認識手段と、
前記認識処理の処理結果を用いて生成される仮想オブジェクトの画像と、当該認識処理の対象となった撮像画像とを合成した合成画像を繰り返し生成する合成手段と、
前記合成画像を表示手段に表示させる表示制御手段とを備え、
前記合成手段は、認識処理が失敗した場合、以前に成功した認識処理の対象となった撮像画像と、当該認識処理の処理結果を用いて生成される仮想オブジェクトの画像とを合成し、
前記表示制御手段は、前記認識処理が連続して失敗した結果、所定の条件が満たされたことに応じて、現時点で取得された撮像画像を前記表示手段に表示させる、画像表示装置。
【請求項１６】
撮像手段から撮像画像を取得可能であり、表示手段に画像を表示させる画像表示システムであって、
取得された撮像画像に対して、当該撮像画像に含まれる所定の対象を認識する認識処理を繰り返し実行する認識手段と、
前記認識処理の処理結果を用いて生成される仮想オブジェクトの画像と、当該認識処理の対象となった撮像画像とを合成した合成画像を繰り返し生成する合成手段と、
前記合成画像を表示手段に表示させる表示制御手段とを備え、
前記合成手段は、認識処理が失敗した場合、以前に成功した認識処理の対象となった撮像画像と、当該認識処理の処理結果を用いて生成される仮想オブジェクトの画像とを合成し、
前記表示制御手段は、前記認識処理が連続して失敗した結果、所定の条件が満たされたことに応じて、現時点で取得された撮像画像を前記表示手段に表示させる、画像表示システム。
【請求項１７】
撮像手段から撮像画像を取得し、表示手段に画像を表示させるための画像表示方法であって、
取得された撮像画像に対して、当該撮像画像に含まれる所定の対象を認識する認識処理を繰り返し実行する認識ステップと、
前記認識処理の処理結果を用いて生成される仮想オブジェクトの画像と、当該認識処理の対象となった撮像画像とを合成した合成画像を繰り返し生成する合成ステップと、
前記合成画像を表示手段に表示させる表示制御ステップとを備え、
前記合成ステップにおいては、認識処理が失敗した場合、以前に成功した認識処理の対象となった撮像画像と、当該認識処理の処理結果を用いて生成される仮想オブジェクトの画像とを合成し、
前記表示制御ステップにおいては、前記認識処理が連続して失敗した結果、所定の条件が満たされたことに応じて、現時点で取得された撮像画像が前記表示手段に表示される、画像表示方法。